(57)【特許請求の範囲】
【請求項１】
遊技媒体を使用して遊技を行う多数台の遊技機と、
不特定多数の遊技客が使用するように設置され、遊技客側の対価支払行為に応じて遊技媒体を放出する複数台の遊技媒体放出機とを備えた遊技場のためのシステムであって、
前記遊技機毎の売上データを個別に集計すると共に、前記遊技媒体放出機からの放出遊技媒体数を按分して各遊技機の売上データに加算するように構成された遊技場用データ集計システムにおいて、
前記多数台の遊技機を前記遊技媒体放出機との位置関係に基づいて複数のグループに区分すると共に、各遊技媒体放出機毎に前記各グループに対する放出遊技媒体数の按分比率を予め設定しておき、
前記遊技媒体放出機による放出遊技媒体数を前記各グループに対し前記按分比率により按分すると共に、各グループに按分された放出遊技媒体数を、遊技機において遊技に供された遊技媒体数と当該遊技機が属するグループの遊技機群にて遊技に供された遊技媒体数の総数との比率に基づいて各遊技機毎に按分した結果を当該遊技機の売上データに加算することを特徴とする遊技場用データ集計システム。
【請求項２】
前記遊技媒体放出機は、遊技客の持ち分となる遊技媒体数を示す預かりデータを利用した対価支払行為に応じて遊技媒体を放出する再プレイ機であることを特徴とする請求項１記載の遊技場用データ集計システム。
【発明の詳細な説明】
【０００１】
【発明の属する技術分野】
本発明は、不特定多数の遊技客による対価支払行為に応じて遊技媒体を放出する複数台の遊技媒体放出機が設けられた遊技場のためのデータ集計システムにおいて、その放出遊技媒体数を按分して各遊技機の売上データに加算するようにした遊技場用データ集計システムに関する。
【０００２】
【従来の技術】
例えば、パチンコホールにおいては、パチンコ台と１対１で対応するようにして台間玉貸機が設置されており、この台間玉貸機において対価の支払に応じた貸出動作が行われた場合に、その支払対価の額（若しくは貸出パチンコ玉数）を対応するパチンコ台の売上高を示す売上データとして個別に集計するというデータ集計システムが構築されている。また、パチンコホールでは、遊技客が自身の持ち分となるパチンコ玉を計数機により計数したときに、その計数結果を、遊技客に対し予め発行されたＩＤカードと対応付けた貯玉データとして記憶可能に構成すると共に、その貯玉データをＰＯＳ端末を通じた景品交換に供し得る構成とすることが行われている。この場合、近年では、貯玉を引き出してパチンコ台での遊技に使用できるというサービスを提供するために、パチンコホール内の複数箇所に、貯玉データを利用してパチンコ玉の貸出を受けるための所謂再プレイ機を設置することも行われている。
【０００３】
【発明が解決しようとする課題】
再プレイ機で引き出されたパチンコ玉はパチンコ台での遊技に供されるため、当該パチンコ台での売上データに加算する必要があるが、引き出されたパチンコ玉がどのパチンコ台での遊技に供されたかを追跡することはほとんど不可能である。このため、従来のデータ集計システムでは、再プレイ機から引き出されたパチンコ玉数（売上高）を各遊技機での売上比率に応じて単純に按分することが行われていた。
【０００４】
しかしながら、このような構成では、例えば、パチンコホールの営業開始時点で再プレイ機から引き出されたパチンコ玉による遊技に応じて大当たりが発生したパチンコ台では、そのパチンコ台の売上が発生しないまま遊技が続けられることになって売上高がゼロのまま推移するため、当該パチンコ台に対して、再プレイ機から引き出されたパチンコ玉数が按分されない事態が発生するなど、実情に会わないケースが多々発生し、結果的に、パチンコ台毎に集計される売上データの信頼性が低くなるという事情があり、このような点が未解決となっていた。  また、パチンコホール内に複数台の再プレイ機が設置されている場合には、各再プレイ機から引き出されたパチンコ玉数がパチンコホール内のパチンコ台に対し無差別に按分されるため、以下に述べるような問題点が発生する。即ち、例えば、２階以上のフロアを有するパチンコホールにおいては、ある階に設置された再プレイ機から引き出されたパチンコ玉が他の階に設置されたパチンコ台で使用される可能性は極めて低く、また、同一フロアに２台以上の再プレイ機が設置されている場合、ある再プレー機から引き出されたパチンコ玉が当該再プレー機から遠く離れた位置のパチンコ台で使用される可能性が低くなるものであり、結果的に、再プレイ機から引き出されたパチンコ玉数の按分が実情に合わない状態で行われることになって、この面からもパチンコ台毎に集計される売上データの信頼性が低くなるという事情があった。
【０００５】
本発明は上記事情に鑑みてなされたものであり、その目的は、不特定多数の遊技客が使用する遊技媒体放出機での売上高を各遊技機に対して的確に按分可能となって、遊技機毎に集計される売上データの正確化を実現できる遊技場用データ集計システムを提供することにある。
【０００６】
【課題を解決するための手段】
請求項１記載の発明は、上記目的を達成するために、遊技媒体を使用して遊技を行う多数台の遊技機と、不特定多数の遊技客が使用するように設置され、遊技客側の対価支払行為に応じて遊技媒体を放出する複数台の遊技媒体放出機とを備えた遊技場のためのシステムであって、前記遊技機毎の売上データを個別に集計すると共に、前記遊技媒体放出機からの放出遊技媒体数を按分して各遊技機の売上データに加算するように構成された遊技場用データ集計システムにおいて、
前記多数台の遊技機を前記遊技媒体放出機との位置関係に基づいて複数のグループに区分すると共に、各遊技媒体放出機毎に前記各グループに対する放出遊技媒体数の按分比率を予め設定しておき、
前記遊技媒体放出機による放出遊技媒体数を前記各グループに対し前記按分比率により按分すると共に、各グループに按分された放出遊技媒体数を、遊技機において遊技に供された遊技媒体数と当該遊技機が属するグループの遊技機群にて遊技に供された遊技媒体数の総数との比率に基づいて各遊技機毎に按分した結果を当該遊技機の売上データに加算する構成としたものである。
【０００７】
この構成によれば、遊技場内の多数台の遊技機を、不特定多数の遊技客が使用する遊技媒体放出機との位置関係に基づいて複数のグループに区分すると共に、各遊技媒体放出機毎に上記各グループに対する放出遊技媒体数の按分比率を予め設定しておく。つまり、最も簡単な例を挙げると、遊技媒体放出機に対し所定の距離内にある遊技機群を第１グループ、これより遠い位置にある遊技機群を第２グループとし、第１グループに対する放出遊技媒体数の按分比率を第２グループに対する按分比率より高い値に設定することになる。このような状態では、遊技媒体放出機による放出遊技媒体数が、当該遊技媒体放出機に近い第１グループに対して、これらより遠い第２グループより高い割合で按分されることになるから、不特定多数の遊技客が使用する遊技媒体放出機での売上高を、各遊技機に対して、当該遊技機と遊技媒体放出機との位置関係に応じて比較的正確に按分可能となる。
そして、上記のように各グループに按分された放出遊技媒体数は、遊技機において遊技に供された遊技媒体数と当該遊技機が属するグループの遊技機群にて遊技に供された遊技媒体数の総数との比率に基づいて各遊技機毎に按分され、その按分結果が当該遊技機の売上データに加算される。このように放出遊技媒体数の按分が、遊技機にて遊技に供された遊技媒体数の大小に基づいて行われる結果、実際に遊技が行われた遊技機に対し放出遊技媒体数を確実に按分できるようになる。従って、不特定多数の遊技客が使用する遊技媒体放出機での売上高を、遊技媒体放出機と各遊技機との位置関係や実際の遊技状況に応じて比較的正確に按分可能となり、以て遊技機毎に集計される売上データの正確化を実現できるようになる。
【０００８】
この場合、請求項２記載の発明のように、前記遊技媒体放出機を、遊技客の持ち分となる遊技媒体数を示す預かりデータを利用した対価支払行為に応じて遊技媒体を放出する再プレイ機とすることができるものであり、この構成によれば、所謂貯玉システムを実現した場合でも、遊技機毎に集計される売上データの正確化を実現できる。
【０００９】
【発明の実施の形態】
以下、本発明をパチンコホール用データ集計システムに適用した一実施例について図面を参照しながら説明する。
【００１０】
図１にはパチンコホール内のレイアウトが模式的に示されている。この図１において、パチンコ玉を遊技媒体とした多数台のパチンコ台１（本発明でいう遊技機に相当）は、複数台（例えば２０台）ずつで島を構成するように配置されるものであり、図中にはパチンコ台１と対応させた状態でその台番号が記載されている。この場合、図示しないが、各パチンコ台１と隣接する位置には１対１で対応するようにして台間玉貸機が設置されており、各台間玉貸機において支払われた対価の額（若しくは貸出パチンコ玉数）を示すデータが、対応するパチンコ台１の売上高を示す売上データとして集中管理装置２へ送信される構成となっている。集中管理装置２においては、このような売上データを各パチンコ台１毎に個別に集計して、パチンコホール管理用のデータベースに蓄積するようになっている。尚、集中管理装置２は、パチンコ台１から送信されてくるアウト信号、セーフ信号、特賞信号などに基づいて各パチンコ台１毎の収支や特賞発生回数などの管理用データを作成して上記データベースに蓄積する構成となっている。
【００１１】
パチンコホール内には、複数台の再プレイ機３（遊技媒体放出機に相当）が例えば二つの島について１台の割合で設置されており、ここでは２台の再プレイ機３についてそれぞれ番号▲１▼、▲２▼を付して示している。この再プレイ機３は、遊技客の持ち分となるパチンコ玉数を示す貯玉データ（預かりデータ）を利用した対価支払行為に応じてパチンコ玉放出動作を行うために設けられている。具体的には、パチンコホールにおいては、遊技客が遊技により獲得したパチンコ玉を周知の計数機により計数したときに、その計数結果を、遊技客に対し予め発行されたＩＤカードと対応付けた貯玉データとして記憶可能に構成されており、この貯玉データは、図示しないＰＯＳ端末を通じた景品交換や、再プレイ機３を通じた貯玉の引き出し時の対価として供し得る構成となっている。つまり、再プレイ機３においては、ＩＤカードに対応した貯玉データの範囲内でパチンコ玉の引き出しが可能な構成となっている。また、再プレイ機３において貯玉の引き出しが行われたときには、その引き出しパチンコ玉数を示すデータ集中管理装置２へ送信される構成となっている。
【００１２】
集中管理装置２においては、各パチンコ台１毎の売上データを個別に集計する際に、再プレイ機３での引き出しパチンコ玉数（売上高に相当）を各パチンコ台１に按分する演算を行う構成となっており、その演算のために、各パチンコ台１を、再プレイ機３との位置関係に基づいて複数のグループに区分すると共に、各パチンコ台１毎に上記各グループに対する引き出しパチンコ玉数の按分比率を予め設定おく構成となっている。
【００１３】
具体的には、図２に示す売上按分テーブルのように、番号▲１▼の再プレイ機３については、これに距離的に近い台番号「１」から「３０」までのパチンコ台１を第１グループとし、これら第１グループのパチンコ台１より距離が遠い台番号「３１」から「５０」までのパチンコ台１を第２グループとし、これ以外のパチンコ台１（台番号が「５１」以降のもの）をグループ外としており、第１グループの按分比率を９０％、第２グループの按分比率を１０％としている。また、番号▲２▼の再プレイ機３については、これに距離的に近い台番号「３１」から「７０」までのパチンコ台１を第１グループとし、これら第１グループのパチンコ台１より距離が遠い台番号「１」から「３０」までのパチンコ台１、及び台番号「７１」から「８０」までのパチンコ台１をそれぞれ第２グループ及び第３グループとし、これ以外のパチンコ台（図示せず）をグループ外としており、第１グループの按分比率を８０％、第２グループ及び第３グループの按分比率を各々１０％としている。
尚、集中管理装置２においては、管理者（ホール従業員）の操作に応じて、上記各グループの先頭台番号を「開始台番」、末尾台番号を「終了台番」として任意に指定できると共に、各グループに対応する按分比率も任意に指定できる構成となっており、これらはパチンコホールの実情などに応じて適宜に設定するものである（図２のような設定状況は一例に過ぎない）。
【００１４】
そして、集中管理装置２は、パチンコ台１に対応した台間玉貸機（図示せず）からの売上データ及びアウト信号、並びに再プレイ機３からの引き出しパチンコ玉数データを収集し、その収集データに基づいて各パチンコ台毎の売上高を算出する構成となっている。このような算出は以下のようにして行われる。
即ち、再プレイ機３からの引き出しパチンコ玉数データを各再プレイ機３毎に累積すると共に、その累積値を金額ベースの売上金額データに換算する演算を行い、それらの累積データ及び売上金額データを例えば図３に示すようなフォーマットの再プレイ機データとして記憶する。尚、図３において、「再プレイ数」は「引き出しパチンコ玉数」と同義である。
【００１５】
また、各パチンコ台１からのアウト信号により示されるアウト玉数を、図２の売上按分テーブルでグループ分けされたパチンコ台１のグループ毎に集計し、その集計結果を、図４に示すように、各グループ毎に区分した状態の按分用アウト数集計データとして記憶する。この図４の例では、番号▲１▼の再プレイ機３に対応した第１グループ（台番号「１」〜「３０」のパチンコ台１）の総アウト数が「７０００００」、同再プレイ機３に対応した第２グループ（台番号「３１」〜「５０」のパチンコ台１）の総アウト数が「３０００００」、番号▲２▼の再プレイ機３に対応した第１グループ（台番号「３１」〜「７０」のパチンコ台１）の総アウト数が「９０００００」、同再プレイ機３に対応した第２グループ（台番号「１」〜「３０」のパチンコ台１）及び第３グループ（台番号「７１」〜「８０」のパチンコ台１）の総アウト数がそれぞれ「６８００００」及び「２７００００」であることを示している。
【００１６】
そして、各パチンコ台１の台番号と対応付けた状態で、当該パチンコ台１からのアウト信号により示されるアウト数、並びに台間玉貸機（図示せず）から与えられる各パチンコ台１の売上データを記憶した図５に示すようなフォーマットの遊技台データベースを作成する。この遊技台データベースには、上記売上データに対し再プレイ機３での売上金額を加味した補正売上データも記憶されるものであり、この補正売上データは次のようにして計算される。
【００１７】
即ち、各再プレイ機３での引き出しパチンコ玉数（再プレイ数）に相当した売上金額（図３参照）を、図４に示された各グループに対し図２の売上按分テーブルに設定された按分比率により按分すると共に、各グループに按分された売上金額を、パチンコ台１でのアウト数（図５参照）と当該パチンコ台１が属するグループの総アウト数（図４参照）との比率に基づいて按分した結果を当該パチンコ台１の売上データ（図５参照）に加算することにより、補正売上データを得る。例えば台番号「１」のパチンコ台１についての補正売上の計算内容は以下のようになる。
補正売上＝（売上）＋（番号▲１▼の再プレイ機３の売上金額）×（番号▲１▼の再プレイ機３での按分比率／１００）×（台番号「１」のパチンコ台１のアウト数／台番号「１」のパチンコ台１を含むグループのうち番号▲１▼の再プレイ機３に対応したグループの総アウト数）＋（番号▲２▼の再プレイ機３の売上金額）×（番号▲２▼の再プレイ機３での按分比率／１００）×（台番号「１」のパチンコ台１のアウト数／台番号「１」のパチンコ台１を含むグループのうち番号▲２▼の再プレイ機３に対応したグループの総アウト数）
＝２３４００＋４０００００×（９０／１００）×（１２３４５／７０００００＋６０００００×（１０／１００）×（１２３４５／６８００００
＝３０８３８
となる。
【００１８】
要するに上記した本実施例の構成によれば、パチンコホール内の多数台のパチンコ台１を、不特定多数の遊技客が使用する再プレイ機３との位置関係に基づいて複数のグループに区分すると共に、各再プレイ機３毎に上記各グループに対する売上金額（放出パチンコ玉数）の按分比率を、例えば図２に示す売上按分テーブルのように予め設定しておくものである。図２の例では、番号▲１▼の再プレイ機３と比較的近い距離にある台番号「１」から「３０」までのパチンコ台１から成る第１グループに対する売上金額の按分比率を、これら第１グループのパチンコ台１より遠い距離にある台番号「３１」から「５０」までのパチンコ台１から成る第２グループに対する按分比率より高い値に設定している。このような状態では、再プレイ機３による売上金額が、当該再プレイ機３に近い第１グループに対して、これらより遠い第２グループより高い割合で按分されることになるから、不特定多数の遊技客が使用する再プレイ機３での売上高を、各パチンコ台１に対して、当該パチンコ台１と再プレイ機３との位置関係に応じて比較的正確に按分可能となる。
【００１９】
このように各グループに按分された売上金額は、各パチンコ台１でのアウト玉数と、当該パチンコ台１が属するグループ内の全部のパチンコ台１でのアウト玉相数との比に基づいて各パチンコ台１毎に按分され、その按分結果が当該パチンコ台１の売上データに加算される。このように再プレイ機３での売上金額の按分が、パチンコ台１でのアウト玉数（遊技に供されたパチンコ玉数）の大小に基づいて行われる結果、実際に遊技が行われたパチンコ台１に対し売上金額を確実に按分できるようになる。従って、不特定多数の遊技客が使用する再プレイ機３での売上高を、再プレイ機３と各パチンコ台１との位置関係や実際の遊技状況に応じて比較的正確に按分可能となり、以て再プレイ機３と通じて貯玉データに応じた数のパチンコ玉を放出するという貯玉システムを採用した場合でも、パチンコ台１毎に集計される売上データの正確化を実現できるようになる。
【００２０】
尚、本発明は上記した実施例に限定されるものではなく、次のような変形または拡張が可能である。
管理対象の遊技機としてパチンコ台１を例に挙げたが、遊技媒体としてメダルを使用するスロットマシンを管理対象とすることもできる。遊技媒体放出機の例として再プレイ機３を挙げたが、不特定多数が使用するパチンコ玉貸出機などであっても対応できる。
【図面の簡単な説明】
【図１】本発明の一実施例を示すパチンコホール内の模式的なレイアウト図
【図２】売上按分テーブルのフォーマット例を示す図
【図３】再プレイ機データのフォーマット例を示す図
【図４】按分用アウト数集計データのフォーマット例を示す図
【図５】遊技台データベースのフォーマット例を示す図
【符号の説明】
１はパチンコ台（遊技機）、２は集中管理装置、３は再プレイ機（遊技媒体放出機）を示す。
【図１】
0004662222.tif 000002
【図２】
0004662222.tif 000003
【図３】
0004662222.tif 000004
【図４】
0004662222.tif 000005
【図５】
0004662222.tif 000006